(57)【特許請求の範囲】
【請求項１】
被験者が痛み無しと感じる程度から最高の痛みと感じる程度までの複数の痛みレベルが割り振られたスケールに、痛みを感じている被験者の指部が接触された場合、その接触位置を当該被験者の感じている痛みレベルとして検出するとともに当該被験者の指部における皮膚抵抗値を検出し、検出された痛みレベル及び皮膚抵抗値を表示する痛み計において、
それぞれの被験者に割り当てられたＩＤキーが差し込まれた場合に当該ＩＤキーのＩＤ情報をセンシングするセンシング手段と、前記センシング手段によりセンシングされた前記ＩＤキーのＩＤ情報とともに前記被験者の痛みレベル及び皮膚抵抗値を記録する記録手段とを備えることを特徴とする痛み計。
【請求項２】
前記センシング手段は、前記ＩＤキーが差し込まれた場合、当該センシング手段に電源が供給されて当該ＩＤキーのＩＤ情報を光学的にセンシングするとともに、当該ＩＤキーが抜き取られた場合に前記電源の供給が停止されるように構成されたことを特徴とする請求項１に記載の痛み計。
【発明の詳細な説明】
【０００１】
【発明の属する技術分野】
本発明は、医療領域、看護領域、心理学領域などにおいて被験者の痛みの程度を判定する痛み計に関する。
【０００２】
【従来の技術】
従来、被験者が痛み無しと感じる程度から最高の痛みと感じる程度までの複数の痛みレベルが割り振られたスケールに、痛みを感じている被験者の指部が接触された場合、その接触位置を被験者の感じている痛みレベルとして検出するとともに被験者の指部における皮膚抵抗値を検出し、検出された痛みレベル及び皮膚抵抗値を表示することによって、被験者の痛みの程度を客観的に判定する「痛み計」が、本発明の出願人により出願されている（特許文献１参照）。
【０００３】
【特許文献１】
特願２００２―３２１８６３号「痛み計」
【０００４】
【発明が解決しようとする課題】
上記従来の「痛み計」は、被験者の感じている痛みレベルと被験者の指部における皮膚抵抗値とを検出し、被験者の痛みレベル及び皮膚抵抗値を表示することによって、被験者の痛みの程度を客観的に判定することはできる。しかしながら、上記従来の「痛み計」は、それぞれの被験者を識別する機能を有していないため、１台の痛み計で複数の被験者の痛みレベル及び皮膚抵抗値を記録することはできない。
【０００５】
そこで本発明では、１台で、複数の被験者の痛みレベル及び皮膚抵抗値を記録することを可能にし、看護師、医師などが、それぞれの被験者の痛みの程度を客観的に認識することができる痛み計を提供することを解決すべき課題とするものである。
【０００６】
【課題を解決するための手段】
上記課題は、特許請求の範囲の欄に記載した痛み計により解決することができる。
【０００７】
請求項１に記載の痛み計によれば、センシング手段は、それぞれの被験者に割り当てられたＩＤキーが差し込まれた場合、それぞれのＩＤキーのＩＤ情報をセンシングするため、記録手段は、センシング手段によりセンシングされたＩＤキーのＩＤ情報を当該被験者の識別情報として記録するとともに、当該被験者の痛みレベル及び皮膚抵抗値を記録する。これにより、１台の痛み計で複数の被験者の痛みレベル及び皮膚抵抗値を記録することができるため、看護師、医師などが、それぞれの被験者の痛みの程度を客観的に認識することができる。
【０００８】
請求項２に記載の痛み計によれば、センシング手段は、ＩＤキーが差し込まれた場合、当該センシング手段に電源が供給されて当該ＩＤキーのＩＤ情報を光学的にセンシングするとともに、当該ＩＤキーが抜き取られた場合に電源の供給が停止されるため、痛み計の電源となる電池の消耗を抑制することができる。
【０００９】
【発明の実施の形態】
次に、本発明の実施の形態について説明する。
図１は、看護師、医師などが、１台で複数の被験者の痛みの程度を認識することができる痛み計１の正面外観図である。また、図２は図１におけるＡ−Ａ矢視図である。
図１に示すように、痛み計１にはスケール２が設けられている。このスケール２は、被験者が感じている痛みの程度に応じて被験者の指部が接触されるものであって、被験者が殆んど痛みを感じない程度を「１」とし、被験者が最高の痛みと感じる程度を「１０」とする痛みレベルが割り振られている。図１に示したスケール２のスケールブロック２ａには痛みレベル「１」と「２」が割り振られており、スケールブロック２ｂには痛みレベル「３」と「４」が、スケールブロック２ｃには痛みレベル「５」と「６」が、スケールブロック２ｄには痛みレベル「７」と「８」が、スケールブロック２ｅには痛みレベル「９」と「１０」が割り振られている。上記それぞれのスケールブロック２ａ，２ｂ，２ｃ，２ｄ，２ｅは、図２に示すように痛みレベルの大きくなる方向が高くなるように段差が付けられている。尚、スケールブロック２ｃの中央部に、この位置がスケール２の中央であることを示すためのセンター表示ＣＥが形成されている。このように、それぞれのスケールブロックに段差があると、被験者が感じている痛みの程度に応じて被験者が自分の指部をスケール２に接触させる場合、自分の指部を、より正確に、該当する痛みレベル位置に接触させることができる。
【００１０】
図１に示すように、スケール２のそれぞれのスケールブロック２ａ，２ｂ，２ｃ，２ｄ，２ｅには、被験者の指部を接触させる複数の接触端子が配設されている。スケールブロック２ａには４個の接触端子３ａ，３ｂ，４ａ，４ｂが配設され、スケールブロック２ｂには４個の接触端子５ａ，５ｂ，６ａ，６ｂが配設されている。また、スケールブロック２ｃには４個の接触端子７ａ，７ｂ，８ａ，８ｂが配設され、スケールブロック２ｄには４個の接触端子９ａ，９ｂ，１０ａ，１０ｂが配設され、スケールブロック２ｅには４個の接触端子１１ａ，１１ｂ，１２ａ，１２ｂが配設されている。
【００１１】
上記それぞれの接触端子３ａ，４ａ，５ａ，６ａ，７ａ，８ａ，９ａ，１０ａ，１１ａ，１２ａは、後述するように、例えば５ボルトのプラス電位が印加されている。また、接触端子３ｂ，４ｂ，５ｂ，６ｂ，７ｂ，８ｂ，９ｂ，１０ｂ，１１ｂ，１２ｂは、後述するマルチプレクサに接続されている。これにより、例えば接触電極５ａ，５ｂ間に被験者の指部が接触されている場合、被験者が感じている痛みに応じて指部の皮膚から分泌されている水分量に対応した皮膚抵抗を介して上記５ボルト電位が接触端子５ａから接触端子５ｂに印加されるため、後述するマルチプレクサにより例えば２ｍｓ間隔でスキャンニングされることによって、被験者の指部が接触されている接触端子５ａ，５ｂが特定され、被験者が感じている痛みに相当する痛みレベルが検出される。
【００１２】
図１に示すように、スケール２の上部には、痛みレベル「１」〜「１０」それぞれに対応して発光色の異なる発光素子、例えば発光ダイオード１３，１４，１５，１６，１７，１８，１９，２０，２１，２２が配設されている。尚、この発光素子は、発光ダイオードに限らず、エレクトロルミネセンスなどでもよい。上記発光ダイオード１３〜２２は、被験者が感じている痛みの程度に応じて被験者が自分の指部をスケール２に接触させた場合、該当する痛みレベルに対応した発光色で発光ダイオードが発光するように電気回路が構成されている。
これにより、被験者は、自分が感じている痛みの程度に応じて、自分の指部を正確にスケール２の適正位置に接触させることができる。
【００１３】
上記発光ダイオード１３〜２２が配列されたブロックの上部に、例えばドットＬＥＤから成る表示器２３が配設されている。この表示器２３は、被験者の指部が接触されている接触端子が特定され、被験者が感じている痛みに相当する痛みレベルが検出された場合、その痛みレベルと前記指部の皮膚抵抗値とを表示するものである。これにより、看護師や医師は、被験者の痛みの程度を客観的に正確に認識することができる。
【００１４】
痛み計１の図１における左側面には、それぞれの被験者に割り当てられたＩＤキー５２（図３、図４参照）が差し込まれるキー差込口５０が形成されている。このＩＤキー５２は、それぞれの被験者を識別するためのもので、痛み計１に内蔵されたキー番号センシング部５１（図３参照）に差し込まれる。尚、このキー番号センシング部５１の構成と作用については後で説明する。
【００１５】
図３は、痛み計１の電気的な構成を示したブロック図である。
前述のスケール２に配設されている前記接触端子３ａ，４ａ，５ａ，６ａ，７ａ，８ａ，９ａ，１０ａ，１１ａ，１２ａ、及び接触端子３ｂ，４ｂ，５ｂ，６ｂ，７ｂ，８ｂ，９ｂ，１０ｂ，１１ｂ，１２ｂは櫛形に形成されており、接触端子３ａ，３ｂ間（４ａ，４ｂ間〜１２ａ，１２ｂ間も同様）は一例として０．５ｃｍ間隔になっている。また、接触端子３ａ，４ａ，５ａ，６ａ，７ａ，８ａ，９ａ，１０ａ，１１ａ，１２ａは、図３に示すように連結形状を成す共通電極として形成されており、抵抗３１を介して、直流定電圧電源回路３２の正極に接続されている。尚、直流定電圧電源回路３２は、負極が電源スイッチ３３を介してアースラインに接続されており、電源スイッチ３３がオンされると電源がオンになり、被験者の指部がスケール２の接触端子から離れると、所定時間後、例えば５分後に電源がオフになる。
【００１６】
接触端子３ｂ，４ｂ，５ｂ，６ｂ，７ｂ，８ｂ，９ｂ，１０ｂ，１１ｂ，１２ｂはマルチプレクサ３４に接続されている。マルチプレクサ３４は、それぞれの接触端子３ｂ，４ｂ，５ｂ，６ｂ，７ｂ，８ｂ，９ｂ，１０ｂ，１１ｂ，１２ｂを例えば２ｍｓ間隔でスキャンニングすることによって、それぞれの接触端子の電位を検出する。このスキャンニングにより検出されたそれぞれの電位は、Ａ／Ｄ変換器３５に送られてディジタル変換されたあと、マイクロコンピュータ３６に送られる。尚、Ａ／Ｄ変換器３５はマイクロコンピュータ３６に内蔵されているが、マイクロコンピュータ３６と分離して設けてもよい。また、上記のようにマルチプレクサ３４が２ｍｓ間隔でスキャンニングするため、マイクロコンピュータ３６はマルチプレクサ３４に対してスキャンニング制御信号を出力する。
【００１７】
被験者が感じている痛みの程度に応じて被験者の指部がスケール２の例えば接触端子５ａ，５ｂに接触されると、その痛みに応じて被験者の指部皮膚から分泌されている水分量に対応した皮膚抵抗を介して接触端子５ａから接触端子５ｂに電流が流れる。これによって、被験者の指部が接触している接触端子５ｂの電位が高くなるため、マイクロコンピュータ３６は上記のスキャンニング制御により、電位が最も高くなった接触端子５ｂの位置を当該被験者の痛みレベルとして検出する。また、マイクロコンピュータ３６は、更に、最も電位の高い接触端子５ｂと接触端子５ａとの間の電位に基づいて前記皮膚抵抗値を演算する。
【００１８】
上記のようにマイクロコンピュータ３６により被験者の痛みレベルが検出されるとともに皮膚抵抗値が演算されると、両者は前述の表示器２３に表示される。
この場合、被験者の痛みレベルは、前述のスケール２に割り振られている「１」から「１０」の数値で表示され、皮膚抵抗値は０Ωを１００パーセント、∞Ωを０パーセントとして表示される。
【００１９】
マイクロコンピュータ３６には、日時データを出力する時計回路４０とメモリー３７とが接続されている。これによって、上記のようにマイクロコンピュータ３６により被験者の痛みレベルが検出されるとともに、皮膚抵抗値が演算されると、痛みレベルと皮膚抵抗値は、当該日時、及び後述するＩＤキー５２のキー番号とともにメモリー３７に保存される。
【００２０】
上記のように被験者の痛みレベルと皮膚抵抗値とが当該日時、及びＩＤキー５２のキー番号とともにメモリー３７に保存されると、マイクロコンピュータ３６は、ケーブル３８もしくは図示していない無線伝送手段を介してこれらの保存データを外部のパーソナルコンピュータ３９に供給する。これにより、パーソナルコンピュータ３９は、それぞれの被験者が痛みを感じた日時、痛みレベル、皮膚抵抗値に対応した皮膚水分をトレンドグラフ化し、表解析可能な状態にすることができる。尚、マイクロコンピュータ３６はＬＥＤドライバ４１を介して前述の発光ダイオード１３〜２２を発光させる制御をする。
【００２１】
痛み計１に内蔵されているキー番号センシング部５１に前述のＩＤキー５２が差し込まれた場合、キー番号センシング部５１は、差し込まれたＩＤキー５２に形成されている光透過孔５２ａを検知することにより、当該ＩＤキー５２のキー番号を識別する。このキー番号は、それぞれの被験者に対応したものであり、前述のように痛み計１で測定されたそれぞれの被験者の痛みレベル及び皮膚抵抗値とともに記録される。これにより、１台の痛み計１に複数の被験者の痛みレベル及び皮膚抵抗値を記録することができる。尚、ＩＤキー５２のキー番号は、それぞれのＩＤキー５２に形成された光透過孔５２ａの位置により決まるもので、光透過孔５２ａの数をｎ個とすれば２n 人の被験者に対応したキー番号を識別することができる。
【００２２】
図４は、痛み計１に内蔵されたキー番号センシング部５１に上記ＩＤキー５２が差し込まれる状態を模式的に示したものである。図４に示すようにキー番号センシング部５１の基板５１ａにはフォトインターラプタＰＣ１〜ＰＣ５が配設されている。また、基板５１ａの端部にはキー番号センシング部５１用の電源スイッチ５３が配設されており、ＩＤキー５２が差し込まれると、ＩＤキー５２の先端部が電源スイッチ５３を押圧し、同スイッチがオンされるようになっている。上記フォトインターラプタＰＣ１〜ＰＣ５は、ＩＤキー５２にあけられている光透過孔５２ａを検知するものであり、光透過孔のあけられている位置に対応した位置にあるフォトインターラプタＰＣ１〜ＰＣ５がオンとなる。
【００２３】
図５は、キー番号センシング部５１の電子回路を示したものである。図５に示すように、上記フォトインターラプタＰＣ１〜ＰＣ５それぞれのフォトダイオードのアノード側には、抵抗Ｒ１〜Ｒ５を介して痛み計１の直流定電圧電源回路３２（図3 参照）の正極電圧ＶＣＣが印加されており、それぞれのフォトダイオードのカソード側は、電源スイッチ５３を介して直流定電圧電源回路３２の負側極に接続されている。また、フォトインターラプタＰＣ１〜ＰＣ５それぞれのフォトトランジスタのエミッタはアースラインに接続されており、コレクタは抵抗Ｒ６〜Ｒ１０によりプルアップされている。尚、フォトインターラプタＰＣ１〜ＰＣ５それぞれのフォトトランジスタのコレクタはデータ出力端子ＩＤ１〜ＩＤ５と接続されており、データ出力端子ＩＤ１〜ＩＤ５はマイクロコンピュータ３６（図3 参照）に接続されている。この回路構成により、前述のＩＤキー５２がキー番号センシング部５１に差し込まれていない場合は、電源スイッチ５３がオフであるため、データ出力端子ＩＤ１〜ＩＤ５における信号は全て論理「Ｈ」である。
【００２４】
また、電源スイッチ５３には、スイッチＯＮ／ＯＦＦ確認用信号を出力するための信号線５３ａが接続されている。これにより、電源スイッチ５３がオンされた場合、この信号線５３ａは論理「Ｌ」となり、電源スイッチ５３がオフの状態で、信号線５３ａは論理「Ｈ」となる。このスイッチＯＮ／ＯＦＦ確認用信号はマイクロコンピュータ３６に伝送されるため、マイクロコンピュータ３６はこのスイッチＯＮ／ＯＦＦ確認用信号に基づいて電源スイッチ５３がオンであるかオフであるかを認識する。
【００２５】
この構成により、前述のＩＤキー５２がキー番号センシング部５１に差し込まれると、電源スイッチ５３がオンになり、信号線５３ａの信号は論理「Ｌ」となるため、マイクロコンピュータ３６は、このスイッチＯＮ／ＯＦＦ確認用信号を入力すると、ＩＤキー５２のキー番号認識処理をする。この場合、ＩＤキー５２にあけられている二つの光透過孔５２ａが上記フォトインターラプタＰＣ４，ＰＣ５それぞれに対応した位置であるため、フォトインターラプタＰＣ４，ＰＣ５がオンとなり、他のフォトインターラプタＰＣ１〜ＰＣ３はオフとなる。これにより、データ出力端子ＩＤ１〜ＩＤ３における信号は論理「Ｈ」、データ出力端子ＩＤ４，ＩＤ５における信号は論理「Ｌ」となり、それぞれの信号はキー番号センシングデータとしてマイクロコンピュータ３６に伝送されるため、マイクロコンピュータ３６は、このキー番号センシングデータに基づいて当該ＩＤキー５２のキー番号を認識し、メモリー３７に記録する。
尚、マイクロコンピュータ３６は、上記のように信号線５３ａの信号、即ち、スイッチＯＮ／ＯＦＦ確認用信号の入力を待ってＩＤキー５２のキー番号認識処理をする以外に、データ出力端子ＩＤ１〜ＩＤ５における信号が全て論理「Ｈ」の場合、ＩＤキー５２が差し込まれていないと判断し、データ出力端子ＩＤ１〜ＩＤ５のいずれかが論理「Ｌ」になった場合、ＩＤキー５２が差し込まれたと判断し、ＩＤキー５２のキー番号認識処理をしてもよい。
尚、ＩＤキー５２は、図３、図４に示すような一般的な形状のキーに限らず、カード状のものを用いても良い。
【００２６】
次に、痛み計１の使用について説明する。
図６は、予め前記ＩＤキー５２が割り当てられたそれぞれの被験者の痛みの程度を痛み計１で測定する場合のフロー図である。
ステップＳ１に示すように、看護師が、痛みを訴えている被験者の所に行き、携帯した痛み計１の電源スイッチ３３をオンした状態で、ＩＤキー５２を差し込んでもらうと、痛み計１に内蔵されているキー番号センシング部５１は、電源スイッチ５３がオンされ、差し込まれたＩＤキー５２に形成されている光透過孔５２ａを検知するため、マイクロコンピュータ３６は当該ＩＤキー５２のキー番号を検知し、そのキー番号をメモリー３７に記憶させる。この状態で、ＩＤキー５２が抜き取られると、キー番号センシング部５１の電源スイッチ５３がオフされるため、痛み計１の電源用電池の消耗が抑制される。
【００２７】
看護師は、ステップＳ２に示すように、被験者が感じている痛みの程度に相当するスケール２の痛みレベルの位置に被験者が自分の指部を接触させるように指示する。
【００２８】
ステップＳ３において、マイクロコンピュータ３６は前述のようなスキャンニング制御をすることにより、それぞれの接触端子電位を検出したうえ、電位の大小比較をする。
【００２９】
マイクロコンピュータ３６は、ステップＳ４に示すように、それぞれの接触端子の電位を検出し、電位が最も高い接触端子の位置を当該被験者の痛みレベルとして検出する。また、マイクロコンピュータ３６は、最も高い電位の接触端子の電位に基づいて被験者の指部における皮膚抵抗値を演算する。
【００３０】
上記のようにマイクロコンピュータ３６により被験者の痛みレベルが検出されるとともに皮膚抵抗値が演算されると、ステップＳ５に示すように、被験者の痛みレベルの数値と皮膚抵抗値とが表示器２３に表示される。この場合、被験者の痛みレベルは、スケール２に割り振られている「１」から「１０」の数値で表示され、皮膚抵抗値は０Ωを１００パーセント、∞Ωを０パーセントとして表示される。
【００３１】
マイクロコンピュータ３６により被験者の痛みレベルが検出されるとともに皮膚抵抗値が演算されると、ステップＳ６に示すように、マイクロコンピュータ３６は、既に記録されている当該被験者のキー番号に対応するメモリーアドレスに痛みレベルの数値と皮膚抵抗値とを当該日時とともに保存し、後で、これらの保存データを外部のパーソナルコンピュータ３９に供給する。これにより、パーソナルコンピュータ３９は、被験者が痛みを感じた日時、痛みレベル、皮膚抵抗値に対応した皮膚水分をトレンドグラフ化し、医者や看護師などが解析可能な状態にすることができる。
【００３２】
ステップＳ７に示すように、５分経過すると、痛み計１の電源が自動的にオフされる。
【００３３】
次に、別の被験者の痛みの程度を測定する場合、その被験者に割り当てられたＩＤキー５２を、電源スイッチ３３をオンした状態で痛み計１に差し込んでもらうと、上記ステップＳ１〜Ｓ７の処理を行なう。
【００３４】
以上の説明から明らかなように、１台の痛み計１を用いることにより、複数の被験者それぞれが感じている痛みの程度を数値化するとともに、被験者の痛みに応じて指部から出る皮膚水分に対応する皮膚抵抗値を測定して両方の数値を表示し、記録することができる。これにより、医者や看護師は、複数の被験者の痛みの程度を客観的に正確に判定することができる。
また、それぞれの被験者が感じている痛みのレベルデータ及び被験者の皮膚抵抗値データを当該日時とともにメモリー３７に保存するとともに、これらのデータを外部のパーソナルコンピュータ３９に供給することができるため、これらのデータをパーソナルコンピュータ３９で解析すれば、それぞれの被験者の痛みの発生時期、痛みの程度などを統計的、日記的に表現することができる。これにより、それぞれの被験者の診断や治療を適正に行なうことができる。尚、上記のパーソナルコンピュータ３９の代わりに、汎用のコンピュータや専用のデータ解析装置などを使用しても良い。
【００３５】
【発明の効果】
本発明によれば、１台の痛み計で、複数の被験者の痛みレベル及び皮膚抵抗値を記録することができるため、看護師、医師などは、それぞれの被験者の痛みの程度を客観的に認識することができる。
【図面の簡単な説明】
【図１】痛み計の正面外観図である。
【図２】図１における痛み計のＡ−Ａ矢視図である。
【図３】痛み計の電気的な構成を示したブロック図である。
【図４】キー番号センシング部の構成説明図である。
【図５】キー番号センシング部の電子回路図である。
【図６】痛み計の動作フロー図である。
【符号の説明】
１  痛み計
２  スケール
２ａ〜２ｅ  スケールブロック
３ａ〜１２ａ  接触端子
３ｂ〜１２ｂ  接触端子
１３〜２２  発光ダイオード
２３  表示器
３２  直流安定化電源回路
３４  マルチプレクサ
３５  Ａ／Ｄ変換器
３６  マイクロコンピュータ
３７  メモリー
３９  パーソナルコンピュータ
５０  ＩＤキー差込口
５１  キー番号センシング部
５２  ＩＤキー
５３  キー番号センシング部電源スイッチ
【図１】
0003721471.tif 000002
【図２】
0003721471.tif 000003
【図３】
0003721471.tif 000004
【図４】
0003721471.tif 000005
【図５】
0003721471.tif 000006
【図６】
0003721471.tif 000007